(57)【要約】【課題】自転車に長時間継続して乗ることにより惹起される尻痛を防止する自転車用尻痛防止装具を提供する。【解決手段】  横長手の小判型形状の座板部３と座板部３上縁から山型に伸び頂部がＴ字型を有する背板部４とからなる一枚の防護プレート２と、背板部４の頂部に取付けた腰ベルト５、及び座板部３の下縁中央から逆Ｖ字状に取付けた２本の吊バンド６で構成され、座板部３を乗輪者の臀部に、背板部４を腰背面に当てて、腰ベルト５を締め、吊バンド６を股を通し太股付け根沿いに引上げ、左右の腰骨付近で腰ベルト５に留めて、防護プレート２を装着することにより、乗輪者がサドル８に跨がった状態で、骨盤下部の座骨９から恥骨１０に至るアーチ状の凹み部位１１を保護し、サドル８から受ける荷重を左右の座骨最下端部に分散し、尻痛の発生を防ぐ。【選択図】図１
2019218669.tif 000002
【特許請求の範囲】
【請求項１】
横長手の小判型形状の座板部と該座板部上縁から山型に伸び頂部がＴ字型を有する背板部とからなる一枚の防護プレートと、該背板部の頂部に取付けた腰ベルト、及び該座板部の下縁中央から逆Ｖ字状に取付けた２本の吊バンドで構成され、
該座板部を乗輪者の臀部に、該背板部を腰背面に当てて、該腰ベルトを締め、該吊バンドを股を通し太股付け根沿いに引上げ、左右の腰骨付近で該腰ベルトに留めて該防護プレートを装着することにより、乗輪者がサドルに跨がった状態で、骨盤下部の座骨から恥骨に至るアーチ状の凹み部位を保護し、サドルから受ける荷重を左右の座骨最下端部に分散することを特徴とする自転車用尻痛防止装具。
【請求項２】
前記防護プレートは合成樹脂などしなやかながら強度を有する材料を使用して一体成形し、乗輪者が装着してサドルに跨がると、前記座板部と前記背板部の境目付近で９０°以上に大きく曲がりＬ字型の断面形状を形作ることになり、該座板部の横方向の剛性が高まり、サドルとの接触部が撓み難くなることを特徴とする請求項１に記載の自転車用尻痛防止装具。
【請求項３】
前記座板部は、輪乗者の座骨最下端部が乗る程度の大きさとし、左右の両端が若干そり上がり、中央線部が浅い凸型形状を有し、乗輪者の尻に適合する形状とし、また、この中央線部の浅い凹みがサドルに乗ることにより、ペダルを漕ぐ際に該座板部が左右に滑り動くことを防ぎ、尻の位置が安定するようにしたことを特徴とする請求項１に記載の自転車用尻痛防止装具。
【請求項４】
前記吊バンドはゴム材質を用い、前記腰ベルトに留めた時には常に張力を発生するようにして装着のずれを防ぎ、また、乗輪者がペダルを漕いでもゴム材質の伸縮性により、太股付け根に抵抗感が生じないようにしたことを特徴とする請求項１に記載の自転車用尻痛防止装具。
【請求項５】
前記座板部には左右の座骨最下端部が乗る位置にドーナツ型の２個のクッションを貼り付け、尻の座骨下端部が受ける力をより分散・緩和し、座り心地を良くすると共に装着のずれを防ぐようにしたことを特徴とする請求項１に記載の自転車用尻痛防止装具。
【発明の詳細な説明】
【技術分野】
【０００１】  本発明は自転車に乗る人（以下、乗輪者という）が長時間サドルに跨がることから生じる尻痛を防ぐ装具に関する。
【背景技術】
【０００２】  自転車のサドルはペダルを漕ぎ易くするため、細い縦長形状を有するのが一般的であるが、乗輪者の尻には集中的に荷重が掛かり、サイクリングなどで長時間サドルに跨がっていると尻痛が生じることが多い。これを防ぐため、サドルの座面を柔らかくしたり（例えば、特許文献１参照）、一部に空隙を設けたり（例えば、特許文献２参照）、または乗輪者のはくパンツに尻当てパッドを取付けたり（例えば、特許文献３参照）しているが、サドルの横幅が狭いので、どうしても輪乗者の股部に集中的に荷重が掛かることは避けられず、尻痛を防ぐ効果は限られてしまう。
【先行技術文献】
【特許文献】
【０００３】
【特許文献１】特表２０１８−５０４３２３（Ｐ２０１８−５０４３２３Ａ）
【特許文献２】特表２０１４−５０４９８５（Ｐ２０１４−５０４９８５Ａ）
【特許文献３】特開２００７−２０４９１２（Ｐ２００７−２０４９１２Ａ）
【発明の概要】
【発明が解決しようとする課題】
【０００４】  乗輪者の尻痛は解剖学的には骨盤の下部に位置する座骨または恥骨に集中的に長時間荷重が掛かることにより生じる。通常の椅子に座る場合は左右の座骨最下端部が荷重を受けているが、幅の狭いサドルに座る場合は座骨から恥骨に至るアーチ状の凹み部位にサドルが食い込むこととなり、普段は荷重を受けない部位に集中的に荷重が掛かり、この部位に痛みが生じる。【０００５】  尻痛防止のためのサドルは種々考案されているが、自転車部品としての特殊なサドルは相応に高価となり、輪乗者の身につける装具であれば、もっと安価で手軽に使用でき、一般的なあらゆるサドルに対応できる。【０００６】  本発明は、上述した問題点に鑑みて創案されたものであり、骨盤下部の座骨から恥骨に至るアーチ状の凹み部位に荷重を受けない自転車用尻痛防止装具を提供することを目的とする。
【課題を解決するための手段】
【０００７】  本発明によれば、横長手の小判型形状の座板部と該座板部上縁から山型に伸び頂部がＴ字形状を有する背板部とからなる一枚の防護プレートと、該背板部の頂部に取付けた腰ベルト、及び該座板部の下縁中央から逆Ｖ字状に取付けた２本の吊バンドで構成され、
該座板部を乗輪者の臀部に、該背板部を腰背面に当てて、該腰ベルトを締め、該吊バンドを股を通し太股付け根沿いに引上げ、左右の腰骨付近で該腰ベルトに留めて該防護プレートを装着することにより、乗輪者がサドルに跨がった状態で、骨盤下部の座骨から恥骨に至るアーチ状の凹み部位を保護し、サドルから受ける荷重を左右の座骨最下端部に分散することを特徴とする自転車用尻痛防止装具が提供される。【０００８】  前記防護プレートは合成樹脂などしなやかながら強度を有する材料を使用して一体成形し、乗輪者が装着してサドルに跨がると、前記座板部と前記背板部の境目付近で９０°以上に大きく曲がりＬ字型の断面形状を形作ることになり、該座板部の横方向の剛性が高まり、サドルとの接触部が撓み難くなるようにしてもよい。【０００９】  前記座板部は、乗輪者の座骨最下端部が乗る程度の大きさとし、左右の両端が若干そり上がり、中央線部が浅い凸型形状を有して、乗輪者の尻に適合する形状とし、またこの中央線部の浅い凹みがサドルに乗ることにより、ペダルを漕ぐ際に該座板部が左右に滑り動くことを防ぎ、尻の位置が安定するようにしてもよい。【００１０】  前記吊バンドはゴム材質を用い、前記腰ベルトに留めた時には常に張力を発生するようにして装着のずれを防ぎ、また、乗輪者がペダルを漕いでもゴム材質の伸縮性により、太股付け根に抵抗感が生じないようにしてもよい。【００１１】  前記座板部には左右の座骨最下端部が乗る位置にドーナツ型の２個のクッションを貼り付け、尻の座骨下端部が受ける圧力をより分散・緩和し、座り心地を良くすると共に装着のずれを防ぐようにしてもよい。【００１２】  前記吊バンドの先端を前記腰バンドに留める為の留め具はマジックテープなどの脱着が容易な留め具とし、自転車を降りた時には吊バンドを腰ベルトから外して、前記防護プレートが腰背面にぶら下がる状態とし、歩行動作に抵抗感が生じないようにしてもよい。
【発明の効果】
【００１３】  本発明に係る自転車用尻痛防止装具を装着することにより、長時間のサイクリングで生じる尻痛を防ぐことができる。【００１４】  本自転車用尻痛防止装具は、前記防護プレートには合成樹脂などの材料を用いて、一体成形が可能であり、前記腰ベルト及び前記吊バンドを含め、製造コストは安価であり、実用に供し易い。
【図面の簡単な説明】
【００１５】
【図１】（ａ）は本発明の一実施形態に係る自転車用尻痛防止装具を示す全体構成図であり、（ｂ）はＡ−Ａ矢視断面図である。
【図２】乗輪者が装着し、サドルに跨がった状態での自転車用尻痛防止装具の斜視図である。
【図３】乗輪者が自転車を降り、装着状態から吊バンドを腰ベルトから外した時の斜め後方からの斜視図である。
【図４】（ａ）は乗輪者が自転車用尻痛防止装具を装着し、サドルに跨がった状態にて骨盤、座板部、及びサドルの関係を示す正面図であり、（ｂ）はその側面図である。
【図５】自転車用尻痛防止装具を装着せず、直接サドルに跨がった状態において、座骨から恥骨に至るアーチ状の凹み部位がサドルから受ける力を示す正面図である。
【発明を実施するための形態】
【００１６】  以下、本考案の実施形態について図１〜図５を用いて説明する。
ここで図１（ａ）は本発明の一実施形態に係わる自転車用尻痛防止装具を示す全体構成図である。
【００１７】  本発明の一実施形態に係わる自転車用尻痛防止装具１は、図１（ａ）に示したように、横長手の小判型形状の座板部３とその上縁から山型に伸び頂部がＴ字型を有する背板部４とからなる一枚の防護プレート２と、背板部４の頂部に取付けた腰ベルト５、及び座板部３の下縁中央から逆Ｖ字状に取付けた２本の吊バンド６で構成される。
【００１８】  また、腰ベルト５には、両端に結合具５ｂ、及び吊バンド６の先端を繋ぎ留める為のマジックテープ５ａを取付け、吊バンド６の先端にはマジックテープ６ａを取付け、座板部３にはドーナツ型のクッション７を貼り付ける。尚、マジックテープ５ａ、６ａに代え、スナップ、フックなどの結合具で留めるようにしてもよい。
【００１９】  図１（ｂ）は座板部３のＡ―Ａ矢視断面図であるが、左右の両端が若干そり上がり、中央線部は浅い凸型形状とし、乗輪者の尻に適合する形状とし、また左右の座骨最下端部が乗る位置にドーナツ型のクッション７を貼り付け、座り心地を良くすると共に装着のずれを防ぐ。また、座板部３の中央線部の浅い凹みがサドル８に乗ることにより、ペダルを漕ぐ際に座板部３が左右に滑り動くことを防ぎ、尻の位置が安定する。
【００２０】  図２は装着した状態の自転車用尻痛防止装具１の斜視図であるが、座板部３を乗輪者の臀部に、背板部４を腰背面に当てて、腰ベルト５を締め、吊バンド６は股を通し太股付け根に沿って引上げ、腰ベルト５の腰骨付近の位置に取付けたマジックテープ５ａに吊バンド先端のマジックテープ６ａを留めて装着し、サドルを跨ぐと、図２に示すような状態になる。腰ベルト５、及び吊バンド６は長さ調整ができるようにし、乗輪者の体格に合わせた長さにする。
【００２１】  また、吊バンド６はゴム材質を用い、腰ベルト５に留めた時には常に張力を発生するようにして装着のずれを防ぎ、また、乗輪者がペダルを漕いでもゴム材質の伸縮性により、太股付け根に抵抗感が生じない。
【００２２】  図３に示すように、自転車を降りた時に、腰ベルト５を締めた状態で、吊バンド６のマジックテープ６ａを外すと、防護プレート２は平板状になって腰から垂直にぶら下がり、歩行動作を妨げることはない。
【００２３】  図４（ａ）はサドル８に跨がった状態の正面図であるが、座板部３がクッション７を介して座骨最下端部を受け、座骨９から恥骨１０に至るアーチ状の凹み部位１１は座板部３とは間隙を保ち圧迫を受けることはなく、尻痛の原因を解消することができる。
【００２４】  図４（ｂ）はサドル８に跨がった状態の側面図であるが、背板部４は腰背面に密着し、座板部３は前縁を吊バンド６で常時引っ張られているので装着が前後にずれることはない。
【００２５】  図５は自転車用尻痛防止装具１を装着せず、直接サドル８に跨がった状態での骨盤とサドル８の関係を示す正面図であるが、サドル８の前方寄りの細い部分が座骨から恥骨に至るアーチ状の凹み部位１１に食い込み、矢印で示す力が掛かり、尻痛発生の原因となる。
【符号の説明】
【００２６】１  自転車用尻痛防止装具
２  防護プレート
３  座板部
４  背板部
５  腰ベルト
５ａ  腰ベルト付きマジックテープ
５ｂ  腰ベルト結合具
６  吊バンド
６ａ  吊バンド先端マジックテープ
７  クッション
８  サドル
９  座骨
１０  恥骨
１１  座骨から恥骨に至るアーチ状の凹み部位
【図１】
2019218669.tif 000003
【図２】
2019218669.tif 000004
【図３】
2019218669.tif 000005
【図４】
2019218669.tif 000006
【図５】
2019218669.tif 000007